(57)【特許請求の範囲】
【請求項１】
冷却室内を水平に移動するベルトコンベアの上方に、該ベルトコンベアの全面に多数のスリット状吹出口を有するスリット板と、複数台の冷却器を設置し、これら冷却器からの冷風が前記スリット状吹出口からベルトコンベア上の被凍結物に吹き出すように構成した連続急速冷却凍結装置であって、
前記ベルトコンベアの出入口開口部側に位置する前記冷却器の冷風吹出口をそれぞれの該ベルトコンベアの出入口開口部に向け、かつ、各冷却器を前記スリット板との間に隙間を設けて該スリット板の上方に設置した連続急速冷却凍結装置において、
上記複数台の冷却器を、上記ベルトコンベアの入口部側と出口部側との間のほぼ中間位置に寄せて設置してなるとともに、
上記冷却器の空気吸い込み部を、上記ベルトコンベアの両側又は片側端部に沿う冷却器側面に設けたことを特徴とする連続急速冷却凍結装置。
【請求項２】
上記冷却器は、上記空気吸い込み部を設けた冷却器側面に冷却コイルベンド部を突出させて設けてなることを特徴とする請求項１記載の連続急速冷却凍結装置。
【請求項３】
上記ベルトコンベアの出入口部側に隣接して設けられる上記スリット状吹出口の吹出口の吹き出し方向を、それぞれ上記ベルトコンベアの出入口開口部と反対方向に向けて斜めに形成してなることを特徴とする請求項１または２記載の連続急速冷却凍結装置。
【請求項４】
上記冷却器の一部に、該冷却器からの冷風を上記ベルトコンベアの下方にガイドするダクトを取り付けてなることを特徴とする請求項１，２または３記載の連続急速冷却凍結装置。
【請求項５】
上記冷却室の外側を装置外板で覆って成り、更に、上記ベルトコンベア出入口側に位置する前記冷却器の吹出口を該ベルトコンベアの出入口に向け、かつ、各冷却器を前記スリット板との間に隙間を設けて該スリット板の上方に設置してなるとともに、前記冷却器の空気吸い込み部を前記ベルトコンベアの両側端部に沿う冷却器側面に設け、かつ、前記冷却器側面と対向する前記装置外板の一部を外側に膨出させて該装置外板と前記冷却器側面との間に所定の隙間を形成してなることを特徴とする請求項１記載の連続急速冷却凍結装置。
【請求項６】
上記装置外板の側面に点検扉を設けてなることを特徴とする請求項５記載の連続急速冷却凍結装置。
【発明の詳細な説明】
【技術分野】
【０００１】
本発明は、生鮮食料品等を連続急速冷却凍結するための連続急速冷却凍結装置に関するものであり、特に、冷却室内を水平に移動するベルトコンベアの上方全面を冷風吹き出し部として使用できる構造にした連続急速冷却凍結装置に関するものである。
【背景技術】
【０００２】
従来、生鮮食料品等を連続急速冷却凍結するための空気吹出方式による連続急速冷却凍結装置は知られている（例えば、特許文献１参照）。
【０００３】
特許文献１で知られる連続急速冷却凍結装置は、概略、図９に示すように構成されている。図９において、装置外板１０１で画成された冷却室１０２は、前後の位置にベルトコンベア出入口開口部１０３，１０４が設けられている。
【０００４】
前記冷却室１０２内の下部には、水平に移動するベルトコンベア１０５がベルトコンベア出入口開口部１０３，１０４間にわたって設置されている。該ベルトコンベア１０５は、ネットベルトまたはスチールベルトからなる。そして、ベルトコンベア出入口開口部１０３でベルトコンベア１０５上に乗せられた生鮮食料品等の被凍結物は、冷却室１０２内を通ってベルトコンベア出入口開口部１０４まで運ばれた後、該冷却室１０２の外側に排出できるようになっている。
【０００５】
前記冷却室１０２内の上部には、２台の冷却器１０６，１０６が前後に配置されている。これら冷却器１０６，１０６のベルトコンベア出入口開口部１０３，１０４側を向く冷風吹出口部には、それぞれ送風機１０７，１０７が取り付けられている。
【０００６】
また、ベルトコンベア１０５の上方には、該ベルトコンベア１０５に沿い、かつ、該ベルトコンベア１０５に直交するスリット状の吹出口１０８を複数開口させたスリット板１０９が設けられている。なお、該装置では、前側の冷却器１０６の後部と後側の冷却器１０６の後部との間を、該冷却器１０６，１０６が空気を吸い込む空気吸い込み部へ向かう空気通路部１１０とし、該空気通路部１１０にはスリット板１０９を設けていない構造になっている。
【０００７】
このように構成される連続急速冷却凍結装置では、前後の冷却器１０６，１０６からそれぞれ吹き出された冷風は、スリット状吹出口１０８を抜けてベルトコンベア１０５上の被凍結物に吹き下ろされ、該被凍結物を急速冷凍する。また、ベルトコンベア１０５を抜けた冷風は、空気通路部１１０を通り、前後の冷却器１０６，１０６の後部側の空気吸い込み部から該各冷却器１０６，１０６内に戻されて循環する。
【特許文献１】特開平８−５２１３号公報。
【発明の開示】
【発明が解決しようとする課題】
【０００８】
上述した連続急速冷却凍結装置では、冷却室１０２内の空気を前後の冷却器１０６，１０６に戻す空気通路部１１０をスリット板１０９の途中に設けているので、その分、冷風吹出部を確保するためにベルトコンベア１０５の長さが長くなり、装置が大形化するという問題点があった。
【０００９】
この問題を解決するために、図１０に示すように、冷却器をスリット板１０９の上に横向きに設置した連続急速冷却凍結装置もある。しかし、図１０に示す連続急速冷却凍結装
置の場合、冷却器１０６，１０６がベルトコンベア出入口開口部１０３，１０４側に近くなるので、冷却室１０２内に装置外部の空気を吸入し、該空気中に含まれている湿分が冷却器の冷却コイルに霜となって付着しやすく、頻繁に除霜運転が必要になるので装置の連続運転を妨げる。このため、冷却室の前後に着霜防止用の前室１１１等を必要とし、構造の複雑化と装置の大型化の原因になっている。
【００１０】
そこで、装置の小形化を可能にし、かつ、ベルトコンベア出入口開口部よりの外気の侵入を防止して冷却器への着霜を防ぎ、装置の長時間連続運転を可能にした連続急速冷却凍結装置を提供するために解決すべき技術課題が生じてくるのであり、本発明はこの課題を解決することを目的とする。
【課題を解決するための手段】
【００１１】
本発明は上記目的を達成するために提案されたものであり、請求項１記載の発明は、冷却室内を水平に移動するベルトコンベアの上方に、該ベルトコンベアの全面に多数のスリット状吹出口を有するスリット板と、複数台の冷却器を設置し、これら冷却器からの冷風が前記スリット状吹出口からベルトコンベア上の被凍結物に吹き出すように構成した連続急速冷却凍結装置であって、
前記ベルトコンベアの出入口開口部側に位置する前記冷却器の冷風吹出口をそれぞれの該ベルトコンベアの出入口開口部に向け、かつ、各冷却器を前記スリット板との間に隙間を設けて該スリット板の上方に設置した連続急速冷却凍結装置において、
上記複数台の冷却器を、上記ベルトコンベアの入口部側と出口部側との間のほぼ中間位置に寄せて設置してなるとともに、
上記冷却器の空気吸い込み部を、上記ベルトコンベアの両側又は片側端部に沿う冷却器側面に設けた連続急速冷却凍結装置を提供する。
【００１２】
この構成によれば、スリット板の上方に、該スリット板から離して冷却器を設けることにより、該冷却器の真下にもスリット板の配置が可能になる。そして、ベルトコンベアの上方全面にスリット板を設けるとともに、ベルトコンベアの出入口開口部側に位置する冷却器の冷風吹出口をそれぞれのベルトコンベアの出入口開口部に向けて設けているので、冷却室内におけるベルトコンベア上方全面に冷風を吹き付けることができる。
【００１４】
この構成によれば、冷却室内における冷却器の空気吸入位置は、ベルトコンベアの入口部側及び出口部側のいずれからも離れ、該冷却器が装置外の湿った空気を冷却室内に誘引する量を少なくする。
【００１６】
この構成によれば、冷却器の空気吸い込み部をベルトコンベアの両側端部に沿う冷却器側面に設けることにより、複数の各冷却器を互いに接近させて、ベルトコンベアの入口部側及び出口部側のいずれからも離れた冷却室の前後中間位置に寄せて配置することができる。これにより、ベルトコンベアの出入口開口部から侵入した外気はコンベアの両側端部に流れ、冷却器吸入部に行くまでに冷気と混合し、外気の水分は霜になり除湿される。
【００１７】
請求項２記載の発明は、上記冷却器は、上記空気吸い込み部を設けた冷却器側面に冷却コイルベンド部を突出させて設けてなる請求項１記載の連続急速冷却凍結装置を提供する。
【００１８】
この構成によれば、冷却器側面の空気吸い込み部から冷却器内に吸い込まれる空気は、冷却器側面の冷却コイルベンド部に接触すると、該空気内に含まれる湿気が冷媒で冷却された冷却コイルベンド部に着霜して除湿される。
【００１９】
請求項３記載の発明は、上記ベルトコンベアの出入口部側に隣接して設けられる上記スリット状吹出口の吹出口の吹き出し方向を、それぞれ上記ベルトコンベアの出入口開口部と反対方向に向けて斜めに形成してなる請求項１または２記載の連続急速冷却凍結装置を提供する。
【００２０】
この構成によれば、スリット状吹出口の吹出方向を斜めに形成することにより、コンベア出入口開口部から冷却室の外に向かう空気のエネルギーを相殺し、漏れ空気を押さえる。この空気のエネルギーは、冷却室内温度、被凍結品により違うため、斜めスリットの数、吹き出し巾、角度等を変化させて調整する。
【００２１】
請求項４記載の発明は、上記冷却器の一部に、該冷却器からの冷風を上記ベルトコンベアの下方にガイドするダクトを取り付けてなる請求項１，２または３記載の連続急速冷却凍結装置を提供する。
【００２２】
この構成によれば、冷却器の一部に取り付けたダクトにより、冷却器からの冷風の一部をベルトコンベアの下方にガイドし、該ベルトコンベアの下方から冷風を吹き出すようにすることができる。
【００２３】
請求項５記載の発明は、上記冷却室の外側を装置外板で覆って成り、更に、上記ベルトコンベア出入口側に位置する前記冷却器の吹出口を該ベルトコンベアの出入口に向け、かつ、各冷却器を前記スリット板との間に隙間を設けて該スリット板の上方に設置してなるとともに、前記冷却器の空気吸い込み部を前記ベルトコンベアの両側端部に沿う冷却器側面に設け、かつ、前記冷却器側面と対向する前記装置外板の一部を外側に膨出させて該装置外板と前記冷却器側面との間に所定の隙間を形成してなる請求項１記載の連続急速冷却凍結装置を提供する。
【００２４】
この構成によれば、スリット板の上方に、該スリット板から離して冷却器を設けることにより、該冷却器の真下にもスリット板の配置が可能になる。そして、ベルトコンベア上の全面にスリット板を設けることにより、該ベルトコンベア上の全面を冷風吹出口にすることができる。また、冷却器の空気吸い込み部をベルトコンベアの両側端部に沿う冷却器側面に設けることにより、複数の各冷却器を互いに接近させて、ベルトコンベアの入口部側及び出口部側のいずれからも離れた冷却室の前後中間位置に寄せて配置することができる。さらに、冷却器側面と装置外板との隙間が小さいときには、冷却器側面と対向する装置外板の一部を外側に膨出させて冷却器側面との間を空気がスムースに流通できる隙間を確保することができる。
【００２５】
請求項６記載の発明は、上記装置外板の側面に点検扉を設けた請求項５記載の連続急速冷却凍結装置を提供する。
【００２６】
この構成によれば、点検扉を開くことにより、装置内部の点検や洗浄を可能にする。
【発明の効果】
【００２７】
請求項１記載の発明は、ベルトコンベア上の全面を冷風吹出口にし、従来の装置で冷気を吹き付けていなかった冷却器の空気吸入部の真下の部分を通るベルトコンベア上にも冷風を吹き付ける構造にしているので、ベルトコンベアの長さを短くして装置の小形化を可能にする。また、ベルトコンベアの出入口開口部側に位置する冷却器の冷風吹出口をそれぞれのベルトコンベアの出入口開口部に向けて設けているので、ベルトコンベア出入口開口部よりの外気の侵入を防止して冷却器への着霜を防ぎ、装置の長時間連続運転を可能にする。さらに、従来、冷却室の前後に設けていた着霜防止用の前室等をなくすことができ
、装置の簡略化と小型化を可能にする。
【００２８】
この発明は、冷却器が装置外の湿った空気を冷却室内に誘引する量を少なくして該冷却器への着霜を防ぐことができる。これにより、外気の湿分が冷却器コイルに付着しなくなり、従来は頻繁に除霜運転が必要であったが、本発明では除霜運転の頻度を少なくできるので、上記効果に加えて、装置の長時間連続運転が可能になり、省エネルギー効果が期待できる。
【００２９】
この発明は、複数の冷却器を互いに接近させて、ベルトコンベアの入り口部側及び出口部側のいずれからも離れた冷却室の前後中間位置に寄せて配置することができるので、冷却器が装置外の湿った空気を冷却室内に誘引する量をより少なくして、該冷却器への着霜をさらに防ぐことができる。これにより前記の効果に加えて、装置のより一層長い連続運転を可能にする。
【００３０】
請求項２記載の発明は、冷却器側面から該冷却器内に吸い込まれる空気を冷却コイルベンド部で除湿することができるので、請求項１記載の発明の効果に加えて、一層長い連続運転を可能にする。
【００３１】
請求項３記載の発明は、冷却室の外に漏れる空気を抑えることができるので、請求項１または２記載の発明の効果に加えて、冷却損失を少なくして連続運転を効率よく行うことができる。また、斜めの冷風は、垂直風より被凍結品に長時間接触するため、冷却効果が大きい。
【００３２】
請求項４記載の発明は、冷却器からの冷風の一部をダクトによりベルトコンベアの下部にガイドして吹き出させることができるので、請求項１，２または３記載の発明の効果に加えて、冷風を効率よく使用して冷凍作業を行うことができる。
【００３３】
請求項５記載の発明は、ベルトコンベア上の全面を冷風吹出口にし、従来の装置で冷気を吹き付けていなかった冷却器吸入部の真下の部分を通るベルトコンベア上にも冷風を吹き付ける構造にしているので、ベルトコンベアの長さを短くして装置の小形化を可能にする。
【００３４】
また、冷却器が装置外の湿った空気を冷却室内に誘引する量を少なくして該冷却器への着霜を防ぐことができるので、装置の連続運転を可能にする。
【００３５】
さらに、冷却器側面と装置外板との隙間が小さいときには、冷却器側面と対向する装置外板の一部を外側に膨出させて冷却器側面との間に空気をスムースに流すことができる。
【００３６】
請求項６記載の発明は、点検扉を開いて装置内部の点検や洗浄を行うことができるので請求項５記載の発明の効果に加えて、保守点検作業等が簡単になる。
【発明を実施するための最良の形態】
【００３７】
装置の小形化を可能にし、かつ、ベルトコンベア出入口開口部よりの外気の侵入を防止して冷却器への着霜を防ぎ、装置の長時間連続運転を可能にするという目的を達成するために、冷却室内を水平に移動するベルトコンベアの上方に、全面に多数のスリット状吹出口を有するスリット板と、複数台の冷却器を設置し、これら冷却器からの冷風が前記スリット状吹出口からベルトコンベア上の被凍結物に吹き出すように構成した連続急速冷却凍結装置において、前記ベルトコンベアの出入口開口部側に位置する前記冷却器の冷風吹出口をそれぞれの該ベルトコンベアの出入口開口部に向け、かつ、各冷却器を前記スリット板との間に隙間を設けて該スリット板の上方に設置したことにより実現した。
【実施例】
【００３８】
以下、本発明の連続急速冷却凍結装置について、好適な実施例をあげて説明する。図１〜図３は本発明に係る連続急速冷却凍結装置の第１実施例を示し、図１は該装置の横断面図、図２は該装置の縦断面図、図３は図２のＡ−Ａ線断面図を示す。
【００３９】
図１〜図３において、装置外板１で画成された冷却室２は、前後にベルトコンベア出入口開口部３，４を設けている。
【００４０】
前記冷却室２内の下部には、水平に移動するベルトコンベア５がベルトコンベア出入口開口部３，４間にわたって設置されている。該ベルトコンベア５は、ネットベルトまたはスチールベルトからなる。そして、ベルトコンベア出入口開口部３でベルトコンベア５上に乗せられた生鮮食料品等の被凍結物は、冷却室２内を通ってベルトコンベア出入口開口部４まで運ばれた後、該冷却室２の外側に排出できるようになっている。
【００４１】
前記冷却室２内の上部には、２台の冷却器６，６が縦置き状態にして前後(ベルトコンベア５の移動方向)に配置されている。これら冷却器６，６のベルトコンベア出入口開口部３，４側を向く冷風吹出口部にはそれぞれ送風機７，７が取り付けられている。一方、冷却器６，６の空気吸い込み部(図示せず)は、ベルトコンベア５の両側端部に沿う冷却器６，６の左右側面６ａ，６ａに設けられている。なお、その冷却器６，６の左右側面と装置外板１との間の隙間は、それぞれベルトコンベア５を抜けて再び冷却器６，６に戻る空気が通る空気通路部８，８を形成してなる。また、該空気通路部８，８内には、冷却器６，６内に配設された冷却コイルの一部である冷却コイルベンド部９ａ，９ａ…が該冷却器６，６の左右側面から突設されている。
【００４２】
さらに、ベルトコンベア５と冷却器６，６との間には、ベルトコンベア５と直交するスリットよりなる吹出口(スリット状吹出口)１０を開口させたスリット板１１が配設されている。なお、本実施例では、図２に示すように、冷却器６，６はスリット板１１から離され、該スリット板１１の上方に設置された状態になっている。一方、スリット板１１は冷却室２内に位置しているベルトコンベア５の上方全面にわたって吹出口１０，１０…を設けて配設され、該ベルトコンベア５の全面にわたって冷風を吹き付けることができるように形成されている。
【００４３】
また、スリット板１１のベルトコンベア出入口開口部３，４に近接した第１吹出口１０ａ，１０ａは、図２に示すように、吹き出し方向をそれぞれベルトコンベア５のベルトコンベア入口開口部３側とベルトコンベア出口開口部４側と反対方向(内側)に向けて斜めに形成して設けられ、第１吹出口１０ａ，１０ａの間に設けられた他の吹出口１０ｂ，１０ｂ…は吹き出し方向をほぼ垂直に形成されている。
【００４４】
なお、第１吹出口１０ａ，１０ａの吹き出し方向を斜めにした形状は、吹出口１０ｂ，１０ｂ…を通ってベルトコンベア５上に吹き出される空気流のうち、ベルトコンベア出入口開口部３，４に向かって外側へ進む空気流の一部に、第１吹出口１０ａ，１０ａからの空気流を衝突させてエネルギーを相殺し、ベルトコンベア出入口開口部３，４から冷却室２の外に向かって吹き出される空気流の量を減少させる作用を有する。これにより、冷却室２の外に漏れる空気を抑えて冷却室２内が負圧にならないようにし、ベルトコンベア５の出入口開口部３，４からの外気侵入を抑制することが可能となる。したがって、外気の湿分が冷却器コイルに付着しなくなり、除霜運転の頻度を少なくして装置の高効率な連続運転を可能にする。また、第１吹出口１０ａ，１０ａの数や巾及び角度は、冷却室２内の温度、被凍結品により変化させる。
【００４５】
このように構成される連続急速冷却凍結装置では、各送風機７，７によって前後の冷却器６，６からベルトコンベア出入口開口部３，４に向けてそれぞれ吹き出された冷風は、吹出口１０を抜けてベルトコンベア５上の被凍結物に吹き下ろされ、該被凍結物を急速冷凍する。また、ベルトコンベア５を抜けた冷風は、空気通路部８を通り、前後の冷却器６，６の吸い込み口から冷却器６，６に吸い込まれて循環する。さらに、冷風が空気通路部８を通るときに、該冷風が冷却コイルベンド部９ａに接触すると、該冷風内に含まれている湿気が冷却コイルベンド部９ａに着霜して除湿される。
【００４６】
したがって、本発明によれば、冷却器６，６をスリット板１１の上方に該スリット板１１から離して設け、吸入部側面としたので、該冷却器６，６の吸入部真下にもスリット板１１を配置することができる。そして、ベルトコンベア５上の全面にスリット板１１の吹出口１０，１０…を設けて、該ベルトコンベア５上の全面を冷風吹出口にすることができる。これにより、本発明の構造では、従来の装置で冷気を吹き付けていなかった冷却器６，６の吸入部真下の部分を通るベルトコンベア５上にも冷風を吹き付け、効果的に冷凍作業を行うことができるので、ベルトコンベア５の前後方向の長さを短くして装置の小形化を図ることが可能になる。
【００４７】
図４及び図５は本発明に係る連続急速冷却凍結装置の第２実施例を示し、図４は該装置の横断面図、図５は該装置の縦断面図を示す。本第２実施例における連続急速冷却凍結装置の構成は、ベルトコンベア５の両側端部に沿う冷却器６，６の左右側面６ａ，６ａと装置外板１との間の隙間、すなわち空気通路部８，８を大きく確保する目的で、冷却器６，６の左右側面と対応する装置外板１の一部をそれぞれ外側に大きく膨出させたものであり、他の構成は図１〜図３と同一であるから、同一の構成部分は同一符号を付して重複説明を省略する。
【００４８】
この第２実施例では、冷却器側面６ａと装置外板１との隙間が小さいときには、冷却器側面６ａと対向する装置外板１の一部１ａを外側に膨出させて冷却器側面６ａとの間の隙間、すなわち空気通路部８，８を大きく確保すると、冷却器６，６に戻る空気の通過をスムースにすることができる。
【００４９】
図６及び図７は本発明に係る連続急速冷却凍結装置の第３実施例を示し、図６は該装置の横断面図、図７は該装置の縦断面図を示す。本第３実施例における連続急速冷却凍結装置の構成は、冷却室２内に４台の冷却器６，６，６，６を設置するとともに、ベルトコンベア出入口開口部３，４側に隣接する冷却器６，６の冷風吹出口部の一部に取り付けた送風機７ａ，７ａ，７ａ，７ａに連結させてダクト１２，１２，１２，１２を設けたものであり、他の構成は図１〜図３と同一であるから、同一の構成部分は同一符号を付して重複説明を省略する。
【００５０】
前記ダクト１２，１２，１２，１２の他端側は、それぞれベルトコンベア５の下部まで延ばされ、冷却器６，６，６，６からの冷風をベルトコンベア５の下方にガイドし、該ベルトコンベア５の下方から冷風を吹き出すことができるように構成されている。このように、冷却器６，６，６，６からの冷風の一部をダクト１２，１２，１２，１２でガイドすることにより、冷風を必要とする部分へ効果的に送ることができる。
【００５１】
なお、上記各実施例において、冷却器吸入部防風板の側面や上面に点検扉を設けてもよく、点検扉を開放すると冷却器６，６の下側における吹出口１０の点検や洗浄が可能になり、保守点検作業等を簡単にすることができる。
【００５２】
さらに、冷却器６の送風機７の先に風向きガイドを取り付け、該ガイドにより冷風がベルトコンベア出入口の斜めスリット(第１吹出口１０ａ)に向かうようにしてもよい。また、
各冷却器６における送風機７の回転方向は両側に冷風がいくようにするのが好ましい。
【００５３】
また、本発明は、本発明の精神を逸脱しない限り種々の改変を為すことができ、そして、本発明が該改変されたものに及ぶことは当然である。
【図面の簡単な説明】
【００５４】
【図１】本発明の第１実施例に係る連続急速冷却凍結装置の横断面図。
【図２】同じく、第１実施例に係る連続急速冷却凍結装置の縦断面図。
【図３】図２のＡ−Ａ線断面図。
【図４】本発明の第２実施例に係る連続急速冷却凍結装置の横断面図。
【図５】同じく、第２実施例に係る連続急速冷却凍結装置の縦断面図。
【図６】本発明の第３実施例に係る連続急速冷却凍結装置の横断面図。
【図７】同じく、第３実施例に係る連続急速冷却凍結装置の縦断面図。
【図８】従来例として示す連続急速冷却凍結装置の横断面図。
【図９】同じく、従来装置の縦断面図。
【図１０】他の従来例として示す連続急速冷却凍結装置の縦断面図。
【符号の説明】
【００５５】
１        装置外板
１ａ      装置外板の一部
２        冷却室
３        ベルトコンベア出入口開口部
４        ベルトコンベア出入口開口部
５        ベルトコンベア
６        冷却器
７        送風機
８        空気通路部
９        冷却コイル
９ａ      冷却コイルベンド部
１０      吹出口(スリット状吹出口)
１１      スリット板
１２      ダクト
【図１】
0004493687.tif 000002
【図２】
0004493687.tif 000003
【図３】
0004493687.tif 000004
【図４】
0004493687.tif 000005
【図５】
0004493687.tif 000006
【図６】
0004493687.tif 000007
【図７】
0004493687.tif 000008
【図８】
0004493687.tif 000009
【図９】
0004493687.tif 000010
【図１０】
0004493687.tif 000011